(57)【要約】      （修正有）【課題】良品を次工程に効率よく搬送でき、製品の生産効率の低下を防止できるシート貼付装置を提供する。【解決手段】被着体ＷＦの被着面ＷＦ１に接着シートＡＳを貼付して一体物ＷＫを形成する貼付手段２０と、一体物ＷＫにおける被着体ＷＦおよび接着シートＡＳの少なくとも一方の状態を検査して、当該一体物ＷＫが良品であるか不良品であるかを判定する検査手段３０と、良品収納部材４１と不良品収納部材４２とを有し、一体物ＷＫを収納する収納手段４０と、検査手段３０に接続され、当該検査手段３０の検査結果を基に、良品と判定された一体物ＷＫを良品収納部材４１へ搬送して収納するとともに、不良品と判定された一体物ＷＫを不良品収納部材４２へ搬送して収納する搬送手段５０とを備え、検査手段３０は、一体物ＷＫにおける被着体ＷＦおよび接着シートＡＳの少なくとも一方の状態を検査する位置に配置されている。【選択図】図１
0003211975.tif 000002
【実用新案登録請求の範囲】
【請求項１】
被着体の被着面に接着シートを貼付して一体物を形成する貼付手段と、
前記一体物における被着体および接着シートの少なくとも一方の状態を検査して、当該一体物が良品であるか不良品であるかを判定する検査手段と、
良品収納部材と不良品収納部材とを有し、前記一体物を収納する収納手段と、
前記検査手段の検査結果を基に、良品と判定された前記一体物を前記良品収納部材へ搬送して収納するとともに、不良品と判定された前記一体物を前記不良品収納部材へ搬送して収納する搬送手段とを備えていることを特徴とするシート貼付装置。
【考案の詳細な説明】
【技術分野】
【０００１】
本考案は、シート貼付装置に関する。
【背景技術】
【０００２】
従来、被着体の被着面に接着シートを貼付して一体物を形成した後、一体物を検査するシート貼付装置が知られている（例えば、特許文献１参照）。
【先行技術文献】
【特許文献】
【０００３】
【特許文献１】特開２００６−１０８５０３号公報
【考案の概要】
【考案が解決しようとする課題】
【０００４】
しかしながら、特許文献１に記載されたような従来のシート貼付装置では、ワーク（被着体）の被着面に粘着テープ（接着シート）を貼付して一体物を形成した後、当該を検査し、異常箇所が発生しなくなるまで被着体に対する接着シートの貼付と剥離とが繰り返されるため、良品と判定された一体物が次工程に搬送されるまでに多くの時間が費やされ、製品の生産効率が低下するという不都合がある。
【０００５】
本考案の目的は、良品と判定された一体物を次工程に効率よく搬送して製品の生産効率が低下することを防止することができるシート貼付装置を提供することにある。
【課題を解決するための手段】
【０００６】
本考案は、請求項に記載した構成を採用した。
【考案の効果】
【０００７】
本考案によれば、良品と判定された一体物は良品収納部材に収納し、不良品と判定された一体物は不良品収納部材に収納するので、良品と判定された一体物を次工程に効率よく搬送して製品の生産効率が低下することを防止することができる。
【図面の簡単な説明】
【０００８】
【図１】本考案の一実施形態に係るシート貼付装置の側面図。
【考案を実施するための形態】
【０００９】
以下、本考案の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１中手前方向から観た場合を基準とし、方向を示した場合、「上」がＺ軸の矢印方向で「下」がその逆方向、「左」がＸ軸の矢印方向で「右」がその逆方向、「前」がＹ軸と平行な図１中手前方向で「後」がその逆方向とする。
【００１０】
図１において、シート貼付装置１０は、被着体としての半導体ウエハ（以下、単に「ウエハ」という場合がある）ＷＦの被着面ＷＦ１に接着シートＡＳを貼付して一体物ＷＫを形成する貼付手段２０と、一体物ＷＫにおけるウエハＷＦおよび接着シートＡＳの少なくとも一方の状態を検査して当該一体物ＷＫが良品であるか不良品であるかを判定するカメラや投影機等の撮像手段や、光学センサや超音波センサ等の各種センサ等の検査手段３０と、一体物ＷＫを収納する収納手段４０と、検査手段３０で検査した一体物ＷＫを収納手段４０へ搬送する搬送手段５０とを備えている。
【００１１】
貼付手段２０は、 基材シートＢＳの一方の面に接着剤ＡＤ層を有する帯状の接着シートＡＳを供給する供給手段２１と、ウエハＷＦに接着シートＡＳを押圧して貼付する押圧手段２２と、ウエハＷＦを支持する支持手段２３と、接着シートＡＳを切断する切断手段２４とを備えている。
供給手段２１は、接着シートＡＳを支持する支持ローラ２１Ａと、接着シートＡＳを案内するガイドローラ２１Ｂと、駆動機器としての回動モータ２１Ｃによって駆動される駆動ローラ２１Ｄとの間に接着シートＡＳを挟み込むピンチローラ２１Ｅと、駆動機器としてのリニアモータ２１Ｆの第１スライダ２１Ｇに支持された駆動機器としての回動モータ２１Ｈと、回動モータ２１Ｈによって駆動される駆動ローラ２１Ｊと、駆動ローラ２１Ｊとの間に接着シートＡＳを挟み込むピンチローラ２１Ｋと、接着シートＡＳの切断により生じた不要シートＵＳを案内するガイドローラ２１Ｌと、駆動機器としての回動モータ２１Ｍによって駆動され、不要シートＵＳを回収する回収ローラ２１Ｎとを備えている。
押圧手段２２は、リニアモータ２１Ｆの第２スライダ２１Ｐに支持された駆動機器としてのリニアモータ２２Ａと、リニアモータ２２Ａのスライダ２２Ｂに支持された押圧ローラ２２Ｃとを備えている。
支持手段２３は、凹部２３Ｂを有する外側テーブル２３Ａと、凹部２３Ｂ内に設けられ、減圧ポンプや真空エジェクタ等の図示しない減圧手段によって吸着保持が可能な支持面２３Ｄを有する内側テーブル２３Ｃとを備えている。
切断手段２４は、カッター刃２４Ａを有するカッターツール２４Ｂを備えている。
【００１２】
収納手段４０は、良品収納部材４１と不良品収納部材４２とを備え、良品収納部材４１および不良品収納部材４２は、一体物ＷＫの外縁部を下方から支持する支持棚４１Ａおよび４２Ａがそれぞれ複数設けられている。
【００１３】
搬送手段５０は、駆動機器としての多関節ロボット５１と、多関節ロボット５１の先端部に着脱可能に設けられ、減圧ポンプや真空エジェクタ等の図示しない減圧手段に連通して一体物ＷＫを吸着保持可能な搬送アーム５２とを備え、検査手段３０の検査結果を基に、良品と判定された一体物ＷＫを良品収納部材４１に収納するとともに、不良品と判定された一体物ＷＫを不良品収納部材４２に収納するようになっている。なお、多関節ロボット５１は、搬送アーム５２に代えて切断手段２４を先端部で支持し、その作業範囲内において当該先端部で装着したそれらを何れの位置、何れの角度にでも変位可能な所謂６軸ロボットである。
【００１４】
以上のシート貼付装置１０の動作を説明する。
先ず、図１中実線で示す初期位置に各部材が配置されたシート貼付装置１０に対し、シート貼付装置１０の使用者（以下、単に「使用者」という）が接着シートＡＳを同図中実線に示すようにセットし、操作パネルやパーソナルコンピュータ等の図示しない操作手段を介して、自動運転開始の信号を入力する。すると、搬送手段５０が多関節ロボット５１および図示しない減圧手段を駆動し、図示しないウエハ配置位置に配置されているウエハＷＦを搬送アーム５２で吸着保持し、当該ウエハＷＦを内側テーブル２３Ｃの支持面２３Ｄ上に載置する。次いで、貼付手段２０が図示しない減圧手段を駆動し、ウエハＷＦの吸着保持を開始すると、搬送手段５０が図示しない減圧手段の駆動を停止し、搬送アーム５２でのウエハＷＦの吸着保持を解除した後、多関節ロボット５１を駆動し、当該搬送アーム５２を初期位置に復帰させる。
【００１５】
次に、貼付手段２０がリニアモータ２２Ａ、２１Ｆを駆動し、押圧ローラ２２Ｃを下降させた後、第２スライダ２１Ｐを図１中二点鎖線で示す位置にまで移動させ、ウエハＷＦの被着面ＷＦ１に接着シートＡＳを押圧して貼付する。貼付手段２０による接着シートＡＳの貼付中に、搬送手段５０が多関節ロボット５１を駆動し、先端部で支持している搬送アーム５２を離脱し、当該先端部で切断手段２４を支持する。その後、搬送手段５０が多関節ロボット５１を駆動し、ウエハＷＦの外縁に沿ってカッター刃２４Ａを移動させ、ウエハＷＦの外縁に沿って接着シートＡＳを切断して一体物ＷＫを形成する。
【００１６】
次いで、検査手段３０が撮像手段等を駆動し、一体物ＷＫの検査を行う。すなわち、検査手段３０は、例えば、一体物ＷＫにおけるウエハＷＦと接着シートＡＳとの間に気泡や異物が混入している場合や、接着シートＡＳに皺や折れ曲がりが形成されてウエハＷＦに貼付されている場合や、接着シートＡＳに破れや損傷等がある場合や、ウエハＷＦに割れや損傷等がある場合等を不良品と判定する一方、それら以外の場合を良品と判定し記憶する。検査手段３０による一体物ＷＫの検査中に、搬送手段５０が多関節ロボット５１を駆動し、先端部で支持している切断手段２４を離脱し、当該先端部で搬送アーム５２を支持する。
【００１７】
検査手段３０による一体物ＷＫの検査が完了すると、搬送手段５０が多関節ロボット５１および図示しない減圧手段を駆動し、一体物ＷＫを搬送アーム５２で吸着保持する。次いで、貼付手段２０が図示しない減圧手段の駆動を停止し、支持面２３ＤでのウエハＷＦの吸着保持を解除した後、搬送手段５０が多関節ロボット５１を駆動し、一体物ＷＫを収納手段４０に収納する。このとき、搬送手段５０は、検査手段３０によって良品と判定された一体物ＷＫは、良品収納部材４１の支持棚４１Ａ上に載置して収納する一方、同検査手段３０によって不良品と判定された一体物ＷＫは、不良品収納部材４２の支持棚４２Ａ上に載置して収納する。
【００１８】
その後、貼付手段２０がリニアモータ２１Ｆ、２２Ａを駆動し、押圧ローラ２２Ｃを初期位置に復帰させた後、回動モータ２１Ｈおよびリニアモータ２１Ｆを駆動し、駆動ローラ２１Ｊを回転させながら第１スライダ２１Ｇを図１中二点鎖線で示す位置に移動させ、不要シートＵＳを外側テーブル２３Ａ上から剥離する。そして、貼付手段２０がリニアモータ２１Ｆおよび回動モータ２１Ｃ、２１Ｍを駆動し、駆動ローラ２１Ｊの回転を停止させた状態で第１スライダ２１Ｇを初期位置に復帰させる。これにより、接着シートＡＳの未使用部分が内側テーブル２３Ｃの支持面２３Ｄの上方に供給されつつ、回収ローラ２１Ｎで不要シートＵＳの巻き取りが行われ、以降上述と同様の動作が繰り返される。なお、良品収納部材４１または不良品収納部材４２に所定枚数の一体物ＷＫが収納されると、多関節ロボットやベルトコンベア等の図示しない収納部材搬送手段が良品収納部材４１または不良品収納部材４２を次工程に搬送するとともに、新たな良品収納部材４１または不良品収納部材４２を初期位置に配置する。
【００１９】
以上のような実施形態によれば、良品と判定された一体物ＷＫは良品収納部材４１に収納し、不良品と判定された一体物ＷＫは不良品収納部材４２に収納するので、良品と判定された一体物ＷＫを次工程に効率よく搬送して製品の生産効率が低下することを防止することができる。
【００２０】
本考案における手段は、それら手段について説明した動作、機能または工程を果たすことができる限りなんら限定されることはなく、まして、前記実施形態で示した単なる一実施形態の構成物や工程に全く限定されることはない。例えば、貼付手段は、被着体の被着面に接着シートを貼付して一体物を形成可能なものであれば、出願当初の技術常識に照らし合わせ、その技術範囲内のものであればなんら限定されることはない（その他の手段および工程も同じ）。
【００２１】
貼付手段２０は、帯状の剥離シートに所定形状の接着シートＡＳが複数仮着された原反から接着シートＡＳを剥離手段で剥離して押圧手段で押圧して貼付する構成でもよいし、剥離シートが仮着されていない枚葉の接着シートＡＳを貼付する構成でもよいし、剥離シートに仮着された帯状の接着シート基材に、閉ループ状または短寸幅方向全体の切込が形成されることで、その切込で仕切られた内側の所定の領域が接着シートＡＳとされた原反から、接着シートＡＳを剥離手段で剥離して押圧手段で押圧して貼付する構成でもよいし、支持ローラ２１Ａやガイドローラ２１Ｂ等の各ローラの代わりに板状部材やシャフト部材等で接着シートＡＳを支持したり案内したりしてもよいし、接着シートＡＳを巻回することなく、例えば、ファンフォールド折りにして支持してもよいし、不要シートＵＳを巻回することなく、例えば、ファンフォールド折りにしたり、シュレッダ等で切り刻んだりして回収してもよいし、帯状の接着シートに切込を形成する切込形成手段を備えていてもよい。
【００２２】
支持手段２３は、凹部２３Ｂを有さず、図示しない減圧手段によって吸着保持が可能な支持面を有する１つのテーブルで構成してもよいし、外側テーブル２３Ａと内側テーブル２３Ｃとを相対移動させる駆動機器を備えていてもよいし、他の装置でウエハＷＦを支持する場合、本発明のシート貼付装置１０に備わっていなくてもよい。
【００２３】
切断手段２４は、カッター刃２４Ａに代えてまたは併用して、ロータリカッター刃、レーザカッタ、イオンビーム、火力、熱、水圧、電熱線、気体や液体等の吹付け等を採用してもよいし、接着シートＡＳを貫通する切込を形成可能なものでもよいし、接着シートＡＳを貫通することのない切込を形成可能なものでもよいし、例えば、ミシン目ロータリカッター刃等で接着シートＡＳを貫通または貫通することのない切込が断続的に続くように当該接着シートＡＳを疑似的に切断するものでもよいし、接着シートＡＳをレーザやイオンビーム等で組成、特性、性質、材質、形状、組織等を変更させた改質層を形成するものでもよいし、切断手段２４は、搬送手段５０とは別体の独立した構成としてもよいし、ウエハＷＦに貼付する前の接着シートＡＳを切断するものであってもよいし、他の装置で接着シートＡＳを切断する場合や接着シートＡＳを切断しない場合、本発明のシート貼付装置１０に備わっていなくてもよい。
【００２４】
検査手段３０は、上記のものに代えてまたは併用して、エコーセンサ、レーザセンサ、圧力センサ、金属検知器等の非接触型のセンサを採用してもよいし、ローラやシャフト等の接触部材を接触させて貼付状態を検査するリミットスイッチ等の接触型のセンサを採用してもよいし、一体物ＷＫにおけるウエハＷＦのみの状態を検査したり、一体物ＷＫにおける接着シートＡＳのみの状態を検査したり、一体物ＷＫにおけるウエハＷＦおよび接着シートＡＳの状態を検査したりして、当該一体物ＷＫが良品であるか不良品であるかを判定してもよいし、ウエハＷＦや接着シートＡＳの上面や下面さらには側面の状態を検査して、当該一体物ＷＫが良品であるか不良品であるかを判定してもよいし、作業者による目視でもよい。検査手段が作業者の目視の場合、作業者が不良品となる一体物ＷＫを検出すると、当該作業者がスイッチや押し釦等の信号出力手段を介して所定の信号を出力し、搬送手段５０が不良品と判定された一体物ＷＫを不良品収納部材４２に収納すればよい。なお、検査手段は、貼付状態を検査しやすくするための検査補助手段を備えていてもよく、このような検査補助手段は、気泡を大きくするための気圧調整手段やコイルヒータやヒートパイプの加熱側等の加熱手段、撮像条件を向上させる照明手段等を採用してもよい。
【００２５】
収納手段４０は、良品収納部材４１と不良品収納部材４２とが一体的に構成されていてもよいし、１つの収納部材が仕切り部材によって２つに仕切られることにより一方が良品収納部材４１とされ、他方が不良品収納部材４２とされたものであってもよいし、良品収納部材４１と不良品収納部材４２とが縦に積み上げられていてもよいし、一体物ＷＫを縦または斜めに起立させた状態で収納してもよいし、上方に向けて開口し、上から一体物ＷＫを収納するようにしてもよいし、一体物ＷＫを直接又は層間材を間に挟んで積層して収納するようにしてもよい。
【００２６】
搬送手段５０は、切断手段２４を移動させる駆動機器とは別の独立した多関節ロボットやベルトコンベア等の駆動機器を採用して一体物ＷＫを搬送してもよい。
【００２７】
シート貼付装置１０は、天地反転して配置したり横向きに配置したりして、ウエハＷＦの下面や側面等に接着シートＡＳを貼付してもよいし、ウエハＷＦと他のウエハＷＦとに接着シートＡＳを貼付して一体物ＷＫを形成したり、被着体とフレーム部材や板状部材等の他のものとに接着シートＡＳを貼付して一体物ＷＫを形成したりしてもよいし、切断済みの接着シートＡＳをウエハＷＦに貼付する構成でもよい。
【００２８】
本考案における接着シートＡＳおよび被着体の材質、種別、形状等は、特に限定されることはない。例えば、接着シートＡＳは、円形、楕円形、三角形や四角形等の多角形、その他の形状であってもよいし、感圧接着性、感熱接着性等の接着形態のものであってもよく、感熱接着性の接着シートが採用された場合は、当該接着シートを加熱する適宜なコイルヒータやヒートパイプの加熱側等の加熱手段を設けるといった適宜な方法で接着されればよい。また、このような接着シートは、例えば、接着剤層だけの単層のもの、基材シートと接着剤層とだけで構成されたもの、基材シートと接着剤層との間に中間層を有するもの、接着剤層の間に中間層を有するもの等、１層または２層以上のものであってよい。また、被着体としては、例えば、食品、樹脂容器、シリコン半導体ウエハや化合物半導体ウエハ等の半導体ウエハ、回路基板、光ディスク等の情報記録基板、ガラス板、鋼板、陶器、木板、紙、ゴムまたは樹脂等の単体物であってもよいし、それら２つ以上で形成された複合物であってもよく、任意の形態の部材や物品なども対象とすることができる。なお、接着シートを機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意の形状の任意のシート、フィルム、テープ等を前述のような任意の被着体に貼付することができる。
【００２９】
また、前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
前記実施形態において、ローラが採用されている場合、各ローラを回転駆動させる駆動機器を備えてもよいし、各ローラの表面をゴムや樹脂等の弾性変形が可能な部材で構成してもよいし、各ローラを弾性変形しない部材で構成してもよいし、押圧ローラや押圧ヘッド等の押圧手段や押圧部材が採用されている場合、上記で例示したものに代えてまたは併用して、ローラ、丸棒、ブレード材、ゴム、樹脂、スポンジ等による押圧部材を採用したり、大気やガス等のエアの吹き付けにより押圧する構成を採用したりしてもよいし、押圧手段や押圧部材の押圧部をゴムや樹脂等の弾性変形が可能な部材で構成してもよいし、弾性変形しない部材で構成してもよいし、剥離手段や剥離部材が採用されている場合は、板状部材、丸棒、ローラ等で構成してもよいし、支持（保持）手段や支持（保持）部材等の被支持部材を支持または保持するものが採用されている場合、メカチャックやチャックシリンダ等の把持手段、クーロン力、接着剤、粘着剤、磁力、ベルヌーイ吸着、駆動機器等で被支持部材を支持（保持）する構成を採用してもよい。
【符号の説明】
【００３０】
１０…シート貼付装置
２０…貼付手段
３０…検査手段
４０…収納手段
４１…良品収納部材
４２…不良品収納部材
５０…搬送手段
ＡＳ…接着シート
ＷＦ…ウエハ（被着体）
ＷＦ１…被着面
ＷＫ…一体物
【図１】
0003211975.tif 000003
【手続補正書】
【提出日】平成29年6月22日(2017.6.22)
【手続補正１】
【補正対象書類名】実用新案登録請求の範囲
【補正対象項目名】全文
【補正方法】変更
【補正の内容】
【実用新案登録請求の範囲】
【請求項１】
被着体の被着面に接着シートを貼付して一体物を形成する貼付手段と、
前記一体物における被着体および接着シートの少なくとも一方の状態を検査して、当該一体物が良品であるか不良品であるかを判定する検査手段と、
良品収納部材と不良品収納部材とを有し、前記一体物を収納する収納手段と、
前記検査手段に接続され、当該検査手段の検査結果を基に、良品と判定された前記一体物を前記良品収納部材へ搬送して収納するとともに、不良品と判定された前記一体物を前記不良品収納部材へ搬送して収納する搬送手段とを備え、
前記検査手段は、前記一体物における被着体および接着シートの少なくとも一方の状態を検査する位置に配置されていることを特徴とするシート貼付装置。